(57)【要約】【課題】インクタンクからインクが漏れても、記録媒体にインクが付着することを防止できるインクジェット記録装置を提供する。【解決手段】インクジェット記録装置１は、記録ヘッド部４と、給紙部３と、液体収納部５と、筐体２とを備える。記録ヘッド部４は、用紙Ｓにインクで画像を形成する。給紙部３は、記録ヘッド部４に用紙Ｓを供給する。液体収納部５は、インクタンク５ｙ、５ｍ、５ｃ、５ｋを有する。インクタンク５ｙ、５ｍ、５ｃ、５ｋは、インクを収納する。筐体２は、記録ヘッド部４、給紙部３、及び液体収納部５を収容する。筐体２は、給紙部３が配置される第１領域Ｒ１と、液体収納部５が配置される第２領域Ｒ２とを有する。第１領域Ｒ１と第２領域Ｒ２とは、水平方向に並んで配される。【選択図】図１
2018083346.tif 000002
【特許請求の範囲】
【請求項１】
記録媒体にインクで画像を形成する画像形成部と、
前記画像形成部に前記記録媒体を供給する供給部と、
インクタンクを有する液体収納部と、
前記画像形成部、前記供給部、及び前記液体収納部を収容する筐体と
を備え、
前記インクタンクは、前記インクを収納し、
前記筐体は、前記供給部が配置される第１領域と、前記液体収納部が配置される第２領域とを有し、
前記第１領域と前記第２領域とは、水平方向に並んで配される、インクジェット記録装置。
【請求項２】
前記液体収納部は、廃インクを収納する廃インクタンクを更に有する、請求項１に記載のインクジェット記録装置。
【請求項３】
前記液体収納部は、クリーニング液を収納するクリーニング液タンクを更に有する、請求項１、又は請求項２に記載のインクジェット記録装置。
【請求項４】
前記液体収納部は、保湿液を収納する保湿液タンクを更に有する、請求項１から請求項３のいずれか１項に記載のインクジェット記録装置。
【請求項５】
前記記録媒体の搬送経路は、前記第２領域の側方、及び前記第２領域の上方に位置する、請求項１から請求項４のいずれか１項に記載のインクジェット記録装置。
【請求項６】
前記液体収納部は、前記筐体に着脱可能である、請求項１から請求項５のいずれか１項に記載のインクジェット記録装置。
【発明の詳細な説明】
【技術分野】
【０００１】
本発明は、インクジェット記録装置に関する。
【背景技術】
【０００２】
特許文献１に記載のインクジェット記録装置は、記録ヘッドと、インクタンクと、給紙カセットとを備える。給紙カセットは、記録ヘッドに向けて記録媒体を供給する。インクタンクは、記録ヘッドにインクを供給する。記録ヘッドは、記録媒体にインクで画像を形成する。インクタンクは、給紙カセットの上方に配される。
【先行技術文献】
【特許文献】
【０００３】
【特許文献１】特開２０１５−４７７６１号公報
【発明の概要】
【発明が解決しようとする課題】
【０００４】
しかしながら、給紙カセットの上方にインクタンクが配置される場合には、インクタンクから漏れたインクが記録媒体に付着するおそれがあり、給紙カセット、及びインクタンクの配置については改善の余地がある。
【０００５】
本発明は、上記課題に鑑み、インクタンクからインクが漏れても、記録媒体にインクが付着することを防止できるインクジェット記録装置を提供することを目的とする。
【課題を解決するための手段】
【０００６】
本発明のインクジェット記録装置は、画像形成部と、供給部と、液体収納部と、筐体とを備える。前記画像形成部は、記録媒体にインクで画像を形成する。前記供給部は、前記画像形成部に前記記録媒体を供給する。前記液体収納部は、インクタンクを有する。前記筐体は、前記画像形成部、前記供給部、及び前記液体収納部を収容する。前記インクタンクは、前記インクを収納する。前記筐体は、前記供給部が配置される第１領域と、前記液体収納部が配置される第２領域とを有する。前記第１領域と前記第２領域とは、水平方向に並んで配される。
【発明の効果】
【０００７】
本発明によれば、インクタンクからインクが漏れても、記録媒体にインクが付着することを防止できる。
【図面の簡単な説明】
【０００８】
【図１】本発明の実施形態に係るインクジェット記録装置の構成を示す図である。
【図２】本発明の実施形態に係る記録ヘッド部、液体収納部、及び液体搬送部を斜め前から見た図である。
【図３】本発明の実施形態に係る記録ヘッド部、液体収納部、及び液体搬送部を斜め後ろから見た図である。
【発明を実施するための形態】
【０００９】
以下、図面を参照して、本発明に係るインクジェット記録装置１の実施形態について説明する。なお、図中、同一又は相当部分については同一の参照符号を付して説明を繰り返さない。また、図面は、理解しやすくするために、それぞれの構成要素を主体に模式的に示している。
【００１０】
図１を参照して、本発明の実施形態に係るインクジェット記録装置１について説明する。図１は、本発明の実施形態に係るインクジェット記録装置１の構成を示す図である。図中のＸ軸、Ｙ軸、及びＺ軸は、互いに直交する。また、Ｘ軸、及びＹ軸は、水平面に平行であり、Ｚ軸は、鉛直線に平行である。
【００１１】
図１に示すように、インクジェット記録装置１は、筐体２と、給紙部３と、記録ヘッド部４と、液体収納部５と、用紙搬送部７と、排出部８と、メンテナンスユニット９と、制御部１００とを備える。
【００１２】
給紙部３は、本発明の供給部の一例である。給紙部３は、給紙カセット３１と、給紙ローラー３２ａ、３２ｂと、手差しトレイ３３とを備える。給紙カセット３１は、筐体２の下部に配置される。給紙カセット３１は、筐体２に着脱自在に装着される。給紙カセット３１内には、複数の用紙Ｓが重ねられた状態で収納され得る。手差しトレイ３３の一部は、筐体２から外部に露出する。手差しトレイ３３には、複数の用紙Ｓが重ねられた状態で載置され得る。
【００１３】
用紙Ｓは、本発明の記録媒体の一例である。用紙Ｓは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００１４】
給紙ローラー３２ａ、３２ｂは、いわゆるピックアップローラーである。給紙ローラー３２ａは、給紙カセット３１内に収容された用紙Ｓを最上部から一枚ずつ取り出す。また、給紙ローラー３２ｂは、手差しトレイ３３に載置された用紙Ｓを最上部から一枚ずつ取り出す。給紙ローラー３２ａ、３２ｂは、取り出した用紙Ｓを用紙搬送部７へ送出する。
【００１５】
用紙搬送部７は、用紙Ｓの搬送経路に沿って用紙Ｓを搬送する。用紙Ｓの搬送経路は、給紙部３から記録ヘッド部４を介して排出部８まで延在する。用紙搬送部７は、第１搬送ユニット７１と、第２搬送ユニット７２と、搬送経路に沿って配された複数のローラー対とを有する。ここで、搬送経路に直交するＸ軸方向を前後方向とし、Ｙ軸方向を左右方向とする。
【００１６】
第１搬送ユニット７１は、搬送ベルト７１ａと、駆動ローラー７１ｂと、従動ローラー７１ｃとを有する。搬送ベルト７１ａは、駆動ローラー７１ｂと従動ローラー７１ｃとに掛け渡される。搬送ベルト７１ａに搬送された用紙Ｓは、搬送ベルト７１ａの回転によって、第２搬送ユニット７２へ送出される。
【００１７】
第２搬送ユニット７２は、第１搬送ユニット７１よりも搬送経路の下流側に配される。第２搬送ユニット７２は、搬送ベルト７２ａと、駆動ローラー７２ｂと、従動ローラー７２ｃとを有する。搬送ベルト７２ａは、駆動ローラー７２ｂと従動ローラー７２ｃとに掛け渡される。搬送ベルト７２ａに搬送された用紙Ｓは、搬送ベルト７２ａの回転によって、排出部８へ送出される。
【００１８】
記録ヘッド部４は、本発明の画像形成部の一例である。記録ヘッド部４は、第１搬送ユニット７１に対向して配置される。記録ヘッド部４は、第１搬送ユニット７１によって搬送される用紙Ｓにインクで画像を形成する。画像が形成された用紙Ｓは、第２搬送ユニット７２へ送出される。
【００１９】
記録ヘッド部４は、ヘッドハウジング４ａと、記録ヘッド４ｙ、４ｍ、４ｃ、４ｋとを有する。記録ヘッド４ｙ、４ｍ、４ｃ、４ｋは、ヘッドハウジング４ａに保持される。記録ヘッド４ｙは、イエロー色のインクを吐出する。記録ヘッド４ｍは、マゼンタ色のインクを吐出する。記録ヘッド４ｃは、シアン色のインクを吐出する。記録ヘッド４ｋは、ブラック色のインクを吐出する。
【００２０】
排出部８は、排出トレイ８１を有する。排出トレイ８１の一部は、筐体２から外部に露出する。排出トレイ８１には、画像が形成された用紙Ｓが排出される。なお、排出トレイ８１には、画像が形成された用紙Ｓが順次積載される。
【００２１】
メンテナンスユニット９は、キャップユニット９１と、ワイパー部９２とを有する。ワイパー部９２は、第２搬送ユニット７２の下方に配置される。ワイパー部９２は、ワイパーブレード９２ｙ、９２ｍ、９２ｃ、９２ｋを有する。
【００２２】
ワイパーブレード９２ｙ、９２ｍ、９２ｃ、９２ｋはそれぞれ、記録ヘッド部４が一定時間以上利用されない場合に、記録ヘッド４ｙ、４ｍ、４ｃ、４ｋに付着したインクの拭き取り（ワイピング）を行う。ワイパーブレード９２ｙは、記録ヘッド４ｙに対応する。ワイパーブレード９２ｍは、記録ヘッド４ｍに対応する。ワイパーブレード９２ｃは、記録ヘッド４ｃに対応する。ワイパーブレード９２ｋは、記録ヘッド４ｋに対応する。
【００２３】
キャップユニット９１は、第２搬送ユニット７２の下方、かつ、ワイパー部９２の上方に配される。キャップユニット９１は、キャップ９１ｙ、９１ｍ、９１ｃ、９１ｋを有する。
【００２４】
キャップユニット９１は、例えば、記録ヘッド部４が一定時間以上利用されない場合に、キャップ９１ｙ、９１ｍ、９１ｃ、９１ｋをそれぞれ記録ヘッド４ｙ、４ｍ、４ｃ、４ｋに密着させる。この結果、記録ヘッド４ｙ、４ｍ、４ｃ、４ｋのインクの乾燥が抑制される。キャップ９１ｙは、記録ヘッド４ｙに対応する。キャップ９１ｍは、記録ヘッド４ｍに対応する。キャップ９１ｃは、記録ヘッド４ｃに対応する。キャップ９１ｋは、記録ヘッド４ｋに対応する。
【００２５】
制御部１００は、インクジェット記録装置１の動作を制御する。詳しくは、制御部１００は、ＣＰＵ（Ｃｅｎｔｒａｌ  Ｐｒｏｃｅｓｓｉｎｇ  Ｕｎｉｔ）と、メモリーとを有する。メモリーには、ＣＰＵによって実行される種々のコンピュータープログラムが記憶される。ＣＰＵは、メモリーに記憶された各種のコンピュータープログラムを実行することにより、給紙部３と、記録ヘッド部４と、用紙搬送部７と、メンテナンスユニット９とを制御する。
【００２６】
液体収納部５は、液体を収納する。液体は、本実施形態において、インク、廃インク、及びクリーニング液を含む。液体収納部５は、インクタンク５ｙ、５ｍ、５ｃ、５ｋと、廃インクタンク５１と、クリーニング液タンク５２とを有する。
【００２７】
インクタンク５ｙ、５ｍ、５ｃ、５ｋ、廃インクタンク５１、及びクリーニング液タンク５２の各々は、例えば、口部を有する所定サイズの容器である。インクタンク５ｙ、５ｍ、５ｃ、５ｋ、廃インクタンク５１、及びクリーニング液タンク５２の各々は、筐体２の下部に配置される。インクタンク５ｙ、５ｍ、５ｃ、５ｋ、廃インクタンク５１、及びクリーニング液タンク５２の各々は、筐体２に着脱自在に装着される。
【００２８】
インクタンク５ｙは、イエロー色のインクを収納する。インクタンク５ｍは、マゼンタ色のインクを収納する。インクタンク５ｃは、シアン色のインクを収納する。インクタンク５ｋは、ブラック色のインクを収納する。インクタンク５ｙ、５ｍ、５ｃ、５ｋに収容された各インクは、対応する記録ヘッド４ｙ、４ｍ、４ｃ、４ｋに供給される。
【００２９】
クリーニング液タンク５２は、クリーニング液を収納する。クリーニング液は、例えば、記録ヘッド部４に付着したインクを溶解させる。クリーニング液は、ワイパー部９２のワイピング時に用いられる。
【００３０】
廃インクタンク５１は、廃インクと、使用後のクリーニング液とを収納する。例えば、廃インクは、記録ヘッド部４に付着したインクであり、使用後のクリーニング液は、記録ヘッド部４に付着したインクを溶解したクリーニング液である。廃インクは、ワイピング時にワイパー部９２によって回収される。
【００３１】
筐体２は、給紙部３と、記録ヘッド部４と、液体収納部５と、用紙搬送部７と、排出部８と、メンテナンスユニット９と、制御部１００とを内部に収容する。筐体２は、第１領域Ｒ１と、第２領域Ｒ２とを有する。給紙部３は、第１領域Ｒ１に配される。液体収納部５は、第２領域Ｒ２に配される。第１領域Ｒ１と第２領域Ｒ２とは、Ｙ軸方向に並んで配される。
【００３２】
本実施形態のインクジェット記録装置１では、第１領域Ｒ１と第２領域Ｒ２とがＹ軸方向に並ぶように配されている。したがって、給紙部３と液体収納部５とは、水平方向に並んで配置される。この結果、インクタンク５ｙ、５ｍ、５ｃ、５ｋ、廃インクタンク５１、及びクリーニング液タンク５２のうち、いずれかのタンクから液体が漏れても、給紙部３に収納された用紙Ｓに液体が付着することを防止できる。なお、典型的には、液体は、タンクの口部から漏れ出す。
【００３３】
また、本実施形態のインクジェット記録装置１では、用紙Ｓの搬送経路は、第２領域Ｒ２の側方、及び第２領域Ｒ２の上方に位置する。したがって、用紙Ｓは、インクタンク５ｙ、５ｍ、５ｃ、５ｋ、廃インクタンク５１、及びクリーニング液タンク５２の下方を通過しない。この結果、インクタンク５ｙ、５ｍ、５ｃ、５ｋ、廃インクタンク５１、及びクリーニング液タンク５２のうち、いずれかのタンクから液体が漏れても、搬送経路を搬送される用紙Ｓに液体が付着することを防止できる。
【００３４】
また、本実施形態のインクジェット記録装置１では、用紙Ｓの搬送経路は、第２領域Ｒ２の側方、及び第２領域Ｒ２の上方に位置する。したがって、給紙部３の給紙ローラー３２ａ、３２ｂ、及び用紙搬送部７のローラー対のような駆動部品は、インクタンク５ｙ、５ｍ、５ｃ、５ｋ、廃インクタンク５１、及びクリーニング液タンク５２の下方に配置されない。同様に、給紙ローラー３２ａ、３２ｂ、及び用紙搬送部７のローラー対を駆動するモーターのような電子部品も、インクタンク５ｙ、５ｍ、５ｃ、５ｋ、廃インクタンク５１、及びクリーニング液タンク５２の下方に配置されない。この結果、インクタンク５ｙ、５ｍ、５ｃ、５ｋ、廃インクタンク５１、及びクリーニング液タンク５２のうち、いずれかのタンクから液体が漏れても、駆動部品、及び電子部品に液体が付着することを防止できる。
【００３５】
次に、図２、及び図３を参照して、液体収納部５、及び液体搬送部６の構成について説明する。図２は、記録ヘッド部４、液体収納部５、及び液体搬送部６を斜め前から見た図である。図３は、記録ヘッド部４、液体収納部５、及び液体搬送部６を斜め後ろから見た図である。図３では、理解を容易にするために、ホースを一部省略している。
【００３６】
図２、及び図３に示すように、液体収納部５において、インクタンク５ｙ、５ｍ、５ｃ、５ｋは、この順に上方から下方に並べて配置される。また、廃インクタンク５１、及びクリーニング液タンク５２は、インクタンク５ｙ、５ｍ、５ｃ、５ｋの下方にＹ軸方向に並べて配置される。
【００３７】
インクジェット記録装置１は、液体搬送部６を更に備える。液体搬送部６は、各色のインクをインクタンク５ｙ、５ｍ、５ｃ、５ｋから、それぞれ対応する記録ヘッド４ｙ、４ｍ、４ｃ、４ｋに供給する。液体搬送部６は、クリーニング液をクリーニング液タンク５２から記録ヘッド部４に供給する。また、液体搬送部６は、ワイパー部９２によって収集された廃インク、及びクリーニング液を廃インクタンク５１へ供給する。
【００３８】
液体搬送部６は、複数のホース６３と、インク供給ポンプ６４ａ、６４ｂ、６４ｃ、６４ｄと、廃インク吸引ポンプ６４ｅと、クリーニング液供給ポンプ６４ｆとを有する。
【００３９】
インク供給ポンプ６４ａ、６４ｂ、６４ｃ、６４ｄは、インクタンク５ｙ、５ｍ、５ｃ、５ｋの側方に配置される。廃インク吸引ポンプ６４ｅは、廃インクタンク５１の後方に配置される。クリーニング液供給ポンプ６４ｆは、クリーニング液タンク５２の後方に配置される。したがって、ポンプ６４ａ、６４ｂ、６４ｃ、６４ｄ、６４ｅ、６４ｆの各々は、対応するタンク５ｙ、５ｍ、５ｃ、５ｋ、５１、５２と水平方向に並べて配置される。
【００４０】
インクタンク５ｙ、５ｍ、５ｃ、５ｋの各々は、ホース６３を介して、対応するインク供給ポンプ６４ａ、６４ｂ、６４ｃ、６４ｄに接続される。廃インクタンク５１は、ホース６３を介して廃インク吸引ポンプ６４ｅに接続される。クリーニング液タンク５２は、ホース６３を介してクリーニング液供給ポンプ６４ｆに接続される。
【００４１】
液体搬送部６は、シリンジポンプ６１ａ、６１ｙ、６１ｍ、６１ｃ、６１ｋと、サブタンク６２ａ、６２ｙ、６２ｍ、６２ｃ、６２ｋとを更に有する。シリンジポンプ６１ａ、６１ｙ、６１ｍ、６１ｃ、６１ｋの各々は、ホース６３を介して対応するサブタンク６２ａ、６２ｙ、６２ｍ、６２ｃ、６２ｋに接続される。サブタンク６２ａ、６２ｙ、６２ｍ、６２ｃ、６２ｋの各々は、ホース６３を介して対応するポンプ６４ｆ、６４ａ、６４ｂ、６４ｃ、６４ｄに接続される。また、シリンジポンプ６１ａ、６１ｙ、６１ｍ、６１ｃ、６１ｋの各々は、ホース６３を介して記録ヘッド部４に接続される。
【００４２】
インクタンク５ｙ、５ｍ、５ｃ、５ｋに収納された各色のインクは、インク供給ポンプ６４ａ、６４ｂ、６４ｃ、６４ｄによって、対応するサブタンク６２ｙ、６２ｍ、６２ｃ、６２ｋに一時的に貯留される。サブタンク６２ｙ、６２ｍ、６２ｃ、６２ｋに貯留された各色のインクは、シリンジポンプ６１ｙ、６１ｍ、６１ｃ、６１ｋによって、対応する記録ヘッド４ｙ、４ｍ、４ｃ、４ｋ（図１を参照）に供給される。したがって、記録ヘッド部４は、各色のインクで用紙Ｓに画像を形成することができる。
【００４３】
クリーニング液タンク５２に収納されたクリーニング液は、クリーニング液供給ポンプ６４ｆによって、サブタンク６２ａに一時的に貯留される。サブタンク６２ａに貯留されたクリーニング液は、シリンジポンプ６１ａによって、記録ヘッド部４に供給される。したがって、ワイパー部９２によるワイピング時に、クリーニング液を用いて記録ヘッド部４に付着するインクを溶解することができる。
【００４４】
ワイピング時に用いられたクリーニング液、及びクリーニング液によって溶解されたインクは、ワイパー部９２によって回収される。廃インク吸引ポンプ６４ｅは、ホース６３を介してワイパー部９２に接続されており、ワイパー部９２によって回収されたインク（廃インク）、及びクリーニング液は、廃インク吸引ポンプ６４ｅによって、廃インクタンク５１に供給される。
【００４５】
以上、図１から図３を参照して、本発明の実施形態に係るインクジェット記録装置１について説明した。但し、本発明は、本実施形態に限られるものではなく、その要旨を逸脱しない範囲で種々の態様において実施することが可能である。
【００４６】
例えば、本発明の実施形態では、インクタンク５ｙ、５ｍ、５ｃ、５ｋがこの順に上方から下方に並べて配置され、廃インクタンク５１、及びクリーニング液タンク５２がインクタンク５ｙ、５ｍ、５ｃ、５ｋの下方に水平方向に並べて配置されていたが、本発明はこれに限定されない。各タンクは、第２領域Ｒ２に配置されればよい。各タンクは、例えば、液体収納部５の体積が小さくなるように配置されてもよい。この結果、インクジェット記録装置１の小型化を図ることができる。
【００４７】
また、本発明の実施形態では、液体収納部５がインクタンク５ｙ、５ｍ、５ｃ、５ｋと廃インクタンク５１とクリーニング液タンク５２とを有していたが、本発明はこれに限定されない。液体収納部５は、インクジェット記録装置１で用いられる液体を収納するタンクを有していればよい。液体収納部５は、例えば、保湿液を収納する保湿液タンクを更に有してもよい。保湿液は、キャップユニット９１のキャップ９１ｙ、９１ｍ、９１ｃ、９１ｋに供給されて、記録ヘッド４ｙ、４ｍ、４ｃ、４ｋのインクの乾燥をより一層抑制させる。
【００４８】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の形状等は一例であって、特に限定されるものではなく、本発明の効果から実質的に逸脱しない範囲で種々の変更が可能である。
【産業上の利用可能性】
【００４９】
本発明は、用紙にインクで画像を形成するインクジェット記録装置に利用可能である。
【符号の説明】
【００５０】
１        インクジェット記録装置
２        筐体
３        給紙部
４        記録ヘッド部
５        液体収納部
Ｒ１      第１領域
Ｒ２      第２領域
Ｓ        用紙
【図１】
2018083346.tif 000003
【図２】
2018083346.tif 000004
【図３】
2018083346.tif 000005